(57)【要約】  介護用ベッド１は、着脱可能なヘッドボード１１を備える。前記着脱可能なヘッドボードは、ハンドルバー１２を備え、前記ハンドルバーの自由端はリフタ２の上部フレーム４に据えられる。前記ハンドルバーを前記リフタに結合するために、挿入ピン２２が前記リフタに備えられる。前記挿入ピンは、ベッドボード１１の挿入、あるいは取り外しのいずれの場合であっても、締め付け効果が全く生じないように設計される。【選択図】図２
2012510322.tif 000002
【特許請求の範囲】
【請求項１】
ベッドフレーム（２）と、
前記ベッドフレーム（２）の頭端にあるヘッドボード（１１）と、
それぞれ、前記ベッドフレーム（２）の一方の側にあって、前記ヘッドボード（１１）を前記ベッドフレーム（２）に着脱可能に結合する２個の結合機構（２０）と、を備える介護用ベッドであって、
連続的な円筒状の滑らかな内部空間（２３）を有する管状のレセプタクルソケット（２１）と、互いに平行をなす２個の平坦な側面（２４）を有する挿入ポスト（２２）は、前記接続機構（２０）の一部をなす、
介護用ベッド。
【請求項２】
前記挿入ポスト（２２）は、少なくとも一つの位置（２５，２７）に矩形断面を有し、該矩形断面は機能上必須である、
ことを特徴とする請求項１に記載の介護用ベッド。
【請求項３】
前記挿入ポスト（２２）の断面形状の、前記挿入ポスト（２２）の長軸に対して直角方向に延びる、各対角線の長さは、前記レセプタクルソケット（２１）の内径よりも短い、
ことを特徴とする請求項１に記載の介護用ベッド。
【請求項４】
前記挿入ポスト（２２）は、２個の支持部（２５，２７）を前記挿入ポスト（２２）の長さ方向に離して構成されている、
ことを特徴とする請求項１に記載の介護用ベッド。
【請求項５】
各支持部（２５，２７）は、最長の対角線が、０．５ｍｍと３ｍｍの間よりも短く、好ましくは、０．５ｍｍと１．５ｍｍよりも短い、
ことを特徴とする請求項１に記載の介護用ベッド。
【請求項６】
前記２個の支持部（２５，２７）の一方は、前記挿入ポスト（２２）の一端に接して、または一端の近傍に配置され、他方の支持部（２２）は、前記挿入ポスト（２２）の他端に接して、または他端の近傍に配置される、
ことを特徴とする請求項１に記載の介護用ベッド。
【請求項７】
前記支持部（２５，２７）の一方は、前記平坦な側面（２４）上から見て五角形または六角形であり、
各平坦な側面（２４）上において、長軸方向の端部（３４，３９）が、前記挿入ポスト（２２）の長軸方向に平行に延びる、
ことを特徴とする請求項１に記載の介護用ベッド。
【請求項８】
前記支持部（２５，２７）の一方に、前記平坦な側面（２４）から見て、丸められ、あるいは斜めに配置された端部（３３，３５；３８，４１）を備える、
ことを特徴とする請求項１に記載の介護用ベッド。
【請求項９】
各支持部（２５，２７）で測定される最大幅が等しい、
ことを特徴とする請求項１に記載の介護用ベッド。
【請求項１０】
括れ部（２６）が、前記２個の支持部（２５，２７）の間に配置され、前記平坦な側面（２４）の面内で測定される該括れ部の幅は、前記支持部（２５，２７）の幅より小さい、
ことを特徴とする請求項１に記載の介護用ベッド。
【請求項１１】
前記括れ部（２６）は、前記平坦な側面（２４）上からみて、直線端部（３６）で区切られる、
ことを特徴とする請求項１０に記載の介護用ベッド。
【請求項１２】
前記挿入ポスト（２２）の前記平坦な側面（２４）の互いの距離は、５ｍｍと１５ｍｍの間にある、
ことを特徴とする請求項１に記載の介護用ベッド。
【請求項１３】
挿入ポスト（２２）は、前記ベッドフレーム（２）上に備えられる、
ことを特徴とする請求項１に記載の介護用ベッド。
【請求項１４】
前記レセプタクルソケット（２１）は、前記ヘッドボード（１１）の管（１２）によって形成される、
ことを特徴とする請求項１に記載の介護用ベッド。
【請求項１５】
ベッドフレーム（２）と、
前記ベッドフレーム（２）の頭端にあるヘッドボード（１１）と、
前記ベッドフレーム（２）の両側にあって、前記ヘッドボード（１１）を前記ベッドフレーム（２）に着脱可能に結合する２個の結合機構（２０）と、を備える介護用ベッドであって、
連続的な円筒状の滑らかな内部空間（２３）を有する管状のレセプタクルソケット（２１）と、互いに離れて配置された２個の支持部（２５，２７）を有する実質的に回転対称な挿入ポスト（２２）と、該支持部の間にあって、前記支持部（２５，２７）の直径よりも小さい直径を有する括れ部（２６）は、前記接続機構（２０）の一部をなし、
前記支持部（２５，２７）の最大径は、０．５ｍｍと３ｍｍの間にあり、前記レセプタクルソケットの内径（２３）より小さい、
介護用ベッド。
【発明の詳細な説明】
【背景技術】
【０００１】
一般に、介護用ベッドは、足端にフットボードを備え、頭端にヘッドボードを備える。これらは、ベッドを交換するため、および必要に応じて他の装置をこれらに固定するために必要とされる。しかしながら、虚脱状態の患者を蘇生させる必要があるとき、前記ヘッドボードは邪魔になる。蘇生を施す医者は、ベッドの頭部から患者に身をかがめなければならない。ベッド上のヘッドボードを取り除かない限り、身をかがめることは難しい。
【０００２】
そのため、ヘッドボードは、ベッドフレームに取り外せるように結合される必要がある。これまで、レセプタクルソケット内に突き出た円筒形のポストが、結合機構として使用されてきた。レセプタクルソケットは、前記ヘッドボード上にハンドルバーとして備えられた管、またはベッドフレーム上に固定された対応するソケットによって形成される。
【０００３】
この構成は、簡単につかえて動かなくなる傾向があるので、ヘッドボードの取り外す時間が、大きく遅くなるという点で不利である。
【０００４】
製造面に関して、ヘッドボードの挿入プレートの周囲の管が、曲げプロセスが原因となる顕著な耐性に曝されている限り、また、ベッドフレーム上の挿入ソケットが位置に関する耐性に曝されている限り、ソケットとポストの結合によって課題が提示される。これにより、ポストとソケットの間の調節あるいは極度に大きな遊びのいずれかが要求される。
【発明の概要】
【発明が解決しようとする課題】
【０００５】
この観点から、本発明の課題は、上述した不都合の少なくとも１つを取り除いた介護用ベッドを作成することである。
【課題を解決するための手段】
【０００６】
本発明に係る介護用ベッドは、頭端にヘッドボードが取り付けられたベッドフレームを備える。前記ヘッドボードは、２個の結合機構によって、前記ベッドフレームに接続される。
【０００７】
管状のレセプタクルソケットは、連続的で、円筒形をなし、平滑な内部空間を有し、各結合機構の一部をなす。また、互いに平行をなす２個の平坦な側面を有する挿入ポストは、結合機構の一部でもある。ここで、前記挿入ポストの厚さは、前記平坦な側面の間の距離として測定され、レセプタクルソケットの内径よりも遥かに小さい。直径に対する厚さの比は、約１：３である。つまり、前記直径は、平坦な平面の互いの距離よりも約３〜３．５倍大きい。
【０００８】
前記挿入ポストはベッド上で都合良く向きを決められて、前記平坦な平面はベッドの長軸に平行にされる。このようにして、前記レセプタクルソケット間の距離のバラツキは比較的に広い範囲で補償されるので、ベッドの長軸方向においてレセプタクルソケットに生じる変位と、該変位に伴ってベッドボードに傾斜が生じる可能性は、取るに足らない。このことは、小角度において、正弦関数は極めて大きく変化するが、余弦関数の変化は僅かであることに関係する。
【０００９】
前記挿入ポストがプレートである場合、前記挿入ポストは、少なくとも機能に不可欠な位置で矩形の断面を有する。前記挿入ポストにプレートを使用すると、前記挿入ポストはレーザカット部品として極めて簡単に製造できるので、製造コストを顕著に低下させながら、使用する材料の量を低減できるので有利である。
【００１０】
所望の効果を得るために、挿入ポストの長軸に対して直角に延びる挿入ポストの断面形状の各対角線の長さは、レセプタクルソケットの内径よりも短い。
【００１１】
挿入ポストに沿って互いに離間した２個の支持部を挿入ポスト上に形成できれば、好適な関係が生じる。前記支持部の間に空けた間隙を通って、前記結合機構が一緒に押し出されれば、つかえて動かなくなることは本質的に回避される。
【００１２】
前記挿入ポストの断面形状の最長の対角線は、挿入ソケットの直径よりも短い０．５と３ｍｍの間、好ましくは０．５と１．５ｍｍの間にあれば、好適であることが証明されている。
【００１３】
前記支持部は、前記挿入ポストの関係する端部に接して、あるいは該端部の近くに構成することができる。
【００１４】
前記支持部の一方は、平坦な側面の上を見ると、六角形をなしてもよく、細長い六角形の形状をなすと好ましく、ここでは、２個の長手方向の端部は互いに平行であって、前記挿入ポストの長軸に平行に延びる。
【００１５】
２個の支持部のそれぞれで測定される最大幅を、等しくできる。つまり、一方の支持部の長軸を横切る方向の寸法は、他方の支持部の横方向の寸法に等しい。
【００１６】
前記２個の支持部は、互いに離間して据え付けられた括れ部の端部の近くに配置される。その幅は、平坦な側面の面内で測定される前記支持部の幅より遥かに小さい。前記括れ部の幅および長さは、前記第２の支持部が前記ソケットに挿入されるときに、前記挿入ポストがこれ以上つかえて動かなくなることがないように選ばれると好ましい。
【００１７】
前記括れ部は、平坦な側面を見るときに矩形になるように構成されると好ましい。必要に応じて、遷移部を備える。
【００１８】
挿入ポストをベッドフレームに配置できれば、取り付けに適した関係を提供することができる。この場合、前記ソケットとして、前記プレート挿入部を囲むハンドルバーの内部空間を使用できる。
【００１９】
平坦な材料から製造された挿入ポストを備えた介護用ベッドに代えて、丸状の材料から作られた挿入ポストを使用することもできる。このような挿入ポストは、回転対称をなす丸状ポストであり、互いに離間して配置された２個の支持部は、該挿入ポストの上に形成される。プレート形状の挿入ポストについて上述したように、前記支持部と前記支持部の間にある括れ部は、前記断面内に形成されてもよい。ここでは、平坦な側面を見る視点は、前記回転対称な挿入ポストの縦断面の対応する断面に相当する。
【００２０】
本発明の改良は、従属項が主題とすることである。
【００２１】
以下の図面の説明によって、本発明を理解するための態様が説明される。説明されていない追加的な詳細は、当業者であれば、図面からありふれた方法で推測することができ、この点において、該図面は文字を補足するものである。様々な変形が可能であることは明らかである。
【００２２】
以下の図は必ずしも実寸ではない。詳細な説明のために、特定の領域を誇張して大きく示している可能性がある。さらに、図はかなり簡略化されており、実際の構成に必要に応じてそれぞれ存在する詳細を含まない。「頂部」および「底部」または「正面」および「背面」あるいは「右」および「左」という用語は、通常使用する位置またはベッドの技術用語での通常の位置を指している。
【００２３】
図中には、本発明が主題とする実施形態が示される。
【図面の簡単な説明】
【００２４】
【図１】本発明の実施形態に係る介護用ベッドを示す斜視図である。
【図２】挿入ポストの平坦な側面上で見たヘッドボードをヘッドボードに接続する接続機構の１つを示す分解立体図である。
【発明を実施するための形態】
【００２５】
かなり簡略化した形式であるが、図１は介護用ベッド１を示している。上部リフタフレーム４とともに下部リフタフレーム３を備えるリフタ２は、介護用ベッド１に取り付けられる。２個のフレーム３と４は、リフタ機構５によって互いに接続されるので、下部フレーム３と上部フレーム４の間の距離は、介護用ベッドについての一般的な方法で、変化させることができる。下部フレーム３は、張り出し部６を有し、張り出し部６には操向車輪７が取り付けられる。各操向車輪７は、平面視した場合に矩形をなす基礎フレーム３の隅部の１つの近傍にそれぞれ配置される。
【００２６】
上部フレーム４には、一般的な方法で分割され、上部に置かれたマットレスを保持する水平フレームも取り付けられる。前記水平フレームによって、マットレス８の各部分を、公知の方法により、背中および脚の領域中で持ち上げることができる。前記水平フレームとともに、リフタ２によって、ベッドフレームは基本的に形成される。
【００２７】
ベッドの足端にはフットボード９が取り付けられ、頭端にはヘッドボード１１が取り付けられる。フットボード９は強固に固定されるが、ベッド内の患者が虚脱状態の場合に蘇生をより簡単に施すことを可能にするために、ヘッドボード１１は着脱可能になっている。
【００２８】
フットボードは、Ｕ字状の曲管１２と挿入プレート１３とから組み立てられ、挿入プレート１３は該管によって定められる、対応する開口の中に置かれる。挿入プレート１３は、計４個の保持要素１４によって、管１２に接続される。
【００２９】
前記管は曲げられて、平行に延びる２本の直線脚部１５と直角に延びる中央部１６が形成される。中央部１６は、基部に平行に延びている。ヘッドボード１１は、同様に構成され、Ｕ字状の曲管１２が、２個の結合機構２０によって上部フレーム４に結合されることだけが異なる。したがって、個別の説明は省略され、同じ参照番号が用いられている。
【００３０】
結合機構２０は、分離した状態で図２に示される。レセプタクルソケット２１と挿入ポスト２２は、結合機構２０の一部をなす。レセプタクルソケット２１は、エプロンまたはハンドルバー１２の垂直な脚部１５の下端近くに形成され、前記管またはレセプタクルソケット２１には、円筒状で滑らかな内部空間２３が形成される。
【００３１】
挿入ポスト２２は、本質的にはレーザ切断部品を含み、該レーザ部品は図２で見えるような輪郭線に対応する厚さの鋼板から切り出される。したがって、２個の平坦な側面２４の一方が、上面視において図２中に見られる。平坦な側面２４は、挿入ポスト２７の長軸に平行に延び、長軸から同じだけ離れている。挿入ポスト２２の厚さは、約８から１０ｍｍである。
【００３２】
挿入ポスト２２は、上部支持部２５まで連続している。また、括れ部２６及び下部支持部２７にも連続している。下部支持部２７は矩形の窪みを備え、該窪みにはネジ状の支柱２８が溶接される。支柱２８によって、挿入ポスト２２は、リフタ２の上部フレーム４の頭端に固定される。
【００３３】
上部支持部２５は、名目上、破線２９の位置で括れ部２６に変わる。また、括れ部２６および支持部２７の間の境界によって、破線３１が形成される。いずれの破線も、挿入ポスト２２の長軸に対して平行に延びる。
【００３４】
上部支持部２５は、名目上、細長い六角形をなし、該六角形の一端には破線２９が示され、上端部３２は該破線に平行に延びている。上端部３２は、挿入ポスト２２の長軸に直角に延びる。上端部３２は、プレート状の挿入ポスト２２の上部の狭い表面の端部でもある。
【００３５】
正面および背面の両側において、短直線端部３３、３４および３５によって、細長の端部３２と３９は左側で結合される。挿入ポスト２２の垂直方向に延びて見える輪郭線は、長軸に対して対称なので、対応する端部が、ポスト２２の反対側に鏡像配置される。そこで、挿入ポスト２２の反対側に配置された端部には、同じ参照番号を付している。
【００３６】
一方、挿入ポスト２２の平坦な側面２４を側面視すると、括れ部２６は、直線端部２６によって側方あるいは長軸に平行な方向に区切られ、破線２９と３１によって長軸に直交する方向に区切られる矩形構造を有し、破線２９および３１はそれぞれ、上端支持部と括れ部、および下端支持部と括れ部の見かけ上の移行部を示す２本の側端部３６は、長軸に対して鏡像配置されて互いに反対側に配置されるので、同じ参照番号３６が付されている。また、下部支持部２７は六角形である。下部支持部２７の頂部は破線３６で区切られ、底部は下端３７で区切られる。側方の境界端は端部３８、３９および４１であり、これらも長軸に対して鏡像配置されているので、右側において対応する端部には同じ参照番号が付されている。
【００３７】
図２において、上部支持部２５の領域内に見える端部３４は、矩形断面の隅部でもある。該断面形の対角線は、挿入ポート２２の長軸で交差する。隅部３４の間の距離、つまり、対角線の長さは、レセプタクルソケット２１の円筒状の内部空間２３の直径よりも短くなるように、例えば、０．５と３ｍｍの間、好ましくは、０．５と１．５ｍｍ、より好ましくは１ｍｍになるように選ばれる。このようにして、レセプタクルソケット２３内において上部支持部２５には、平坦な側面２４に平行な方向あるいは該側面と交差する方向に、僅かな遊びが生じる。平坦な側面２４の相互間の距離、つまり、挿入ポスト２２の厚さ、図の平面に垂直な厚さは、レセプタクル空間２３の直径の約１／３なので、図の平面に平行な方向の上部支持部２５の遊びは、図の平面に垂直な方向のそれよりも小さい。
【００３８】
簡単に挿入できるように、また、斜めに置かれた場合に、端部３４で区切られた上部支持部２５の領域が、レセプタクル空間２３内でつかえて動かなくならないように、端部３３と３５が面取り部として使用される。
【００３９】
２個の垂直な長手方向の端部３６の間で測定される括れ部２４の幅は、ヘッドボード１１が配置されるときに、ハンドルバー１２と挿入ポスト２２が、つかえて動かなくなることがないように選ばれる。
【００４０】
上部支持部２５の側端部３４について述べたことは、下部支持部２７において、側端部３９相互間の長軸に直交する方向の寸法についても適用される。側端部３９は、各側面において、上部支持部２５の側端部３４の延長線を正確になぞって延びる。側端部３８の長さは、側端部３８と長軸によって挟まれる角度が約４°になるように選ばれる。側端部３８の全長に渡って、下部支持体２７は基本的には上方に向かう。
【００４１】
下部の傾斜した端部４１は、傾いたときに、ハンドルバー内またはレセプタクル空間２３内の押し当てられる点に最大の接触圧を生じさせることを目的とする。
【００４２】
端部３８によって定義された領域を含む括れ部２４の長さは、ハンドルバーに接続されたときに、挿入ポスト２２がハンドルバー１２の中でつかえて動かなくなることが実際に生じないように選ばれる。生じうる傾斜角は十分小さいので、所定の摩擦力ではセルフロックが生じない。
【００４３】
挿入ポストは、平坦な材料で作られているので、ハンドルバー１２あるいは挿入ポスト２２の締結点における曲げの許容誤差は、上述の理由によって容易に吸収できる。挿入管１２によって形成される弓状の保持部は、ベッドに対して横方向に僅かにずれるが、ベッドの長軸に平行な方向の遊びは極めて小さい。他にも理由があるが、挿入ポストは相対的に長いので、事実上傾きは生じない。下部端部３７から上部端部３２までの距離は約１５０ｍｍである。
【００４４】
ここで、上部支持部２５において、折り目を挟んで互いに変化する側端部３３〜３５に代えて、連続的に湾曲した端部を用いることもできる。
【００４５】
レセプタクル空間２３における挿入ポスト２２の遊びの非対称性に頼らないのであれば、図２に示された形状を作り直して、挿入ポストの輪郭を回転対称なものにすることができる。係る挿入ポストは、結合の際につかえて動かなくなることに関して、平坦な材料で作られた挿入ポストと同様に振る舞う。
【００４６】
介護用ベッドは着脱可能なヘッドボードを備える。前記着脱可能なヘッドボードは、ハンドルバーを有し、ハンドルバーの自由端はリフタの上部フレーム上であって起立している。ハンドルバーをリフタに結合するために、挿入ポストがリフタに備えられる。これらの挿入ポストは、ヘッドボードを挿入ポストに取り付ける際、あるいはヘッドボードを挿入ポストから引き出す際に、つかえて動かなくなることがない形状にされる。
【図１】
2012510322.tif 000003
【図２】
2012510322.tif 000004
【国際調査報告】
2012510322.tif 000005
2012510322.tif 000006
2012510322.tif 000007
2012510322.tif 000008